(57)【特許請求の範囲】
【請求項１】
建築物の外壁を改修する際に用いられる外壁補修工事用安全装置であって、
一対の板によって形成された本体を備え、
前記各板が、建築物側に位置する建築物側長辺、足場側に位置する足場側長辺、及び該長辺と直交する対向した一対の短辺をもつ細長い矩形形状を有し、前記各板の一方の短辺同士が、蝶番により折り畳み可能に連結されており、
前記各板の上面を被覆するように配置されたシートを更に備え、前記シートが、前記板の上面、前記各板の蝶番で連結されている短辺と反対側の短辺から横方向外方に延びる第１部分、及び前記足場側長辺から手前側に延びる第２部分を有するＴ形の形状に形成されており、
前記シートで被覆された板の上面の前記建築物側長辺の側に把手が取り付けられていることを特徴とする装置。
【請求項２】
前記各板に、足場側長辺から手前側に延びる複数の部分をそれぞれ設けることにより、前記各部分間に空所が形成されていることを特徴とする請求項１に記載された装置。
【請求項３】
前記シートの前記足場側長辺から手前側に延びる部分に、外壁材の破片を入れるための折り畳み式の破片投入袋が配置されていることを特徴とする請求項１又は２に記載された装置。
【請求項４】
外壁補修工事を行う建築物の外壁の前面に、建築物の外壁面から足場までの距離がＷよりも小さくなるように足場を配置する段階と、
前記請求項１から請求項３までのいずれか１項に記載された外壁補修工事用安全装置を準備する段階と、
外壁材を剥がそうとする高さにおける足場の床部分において、前記板の建築物側長辺が建築物の外壁に接し、足場側長辺が足場床面に接するようにして、前記把手に手をかけて安全装置を建築物の外壁と足場床面との間の空間に配置する段階と、
前記シートの第１部分および第２部分を立てて足場柱材に固定することにより、底面が傾斜し三方が前記第１部分及び第２部分で囲まれた空間を形成する段階と、
を含むことを特徴とする外壁補修方法。
【発明の詳細な説明】
【技術分野】
【０００１】
本発明は一般に、建築物の外壁を改修する際における外壁補修工事に用いる安全装置および外壁補修方法に関する。より詳細には、本発明は、外壁補修工事における作業の手間を軽減し、安全な作業を可能とし、作業時間と作業コストを減少させる外壁補修工事用安全装置および外壁補修方法に関する。
【背景技術】
【０００２】
古い建築物における外壁補修工事は、一般的に、外壁の周囲に組んだ足場の上に作業者が載って、タイル等の古い外壁材を剥がした後、新しい外壁材を外壁に貼る等して施工することによって行われる。この際、外壁から剥がした古い外壁材は、足場の上に一旦落としておき、その後、清掃することによって処理していたが、このような作業方法では、外壁材を剥がす際に撤去材が誤って地上に落下しないように足場の周囲に安全ネットを張りめぐらさなければならず、作業に手間と時間がかかるとともに、作業コストを増大させる一因ともなる等の種々の不都合がある。
【０００３】
このような現状に鑑みて、本発明者は、古い建築物の外壁補修工事における手間を軽減し、作業時間と作業コストを減少させる安全な外壁補修工事用安全シュート及び外壁補修方法を提案した（特許文献１〜４参照）。
【０００４】
【特許文献１】特許第３４４６９５８号公報
【特許文献２】特許第４３６０４９４号公報
【特許文献３】特許第４６４０９４９号公報
【特許文献４】特開２００８−２６７０２０号公報
【発明の開示】
【発明が解決しようとする課題】
【０００５】
上述の外壁補修工事用安全シュートおよび外壁補修方法は、幸いにして好評を博しているが、これらの安全シュート及び補修方法は、足場に設置するのに手間がかかるという不都合があった。そこで、本発明者は、足場に容易に設置することができる外壁補修工事用安全装置および外壁補修方法を新たに開発した。
【課題を解決するための手段】
【０００６】
本願請求項１に記載の外壁補修工事用安全装置は、一対の板によって形成された本体を備え、前記各板が、建築物側に位置する建築物側長辺、足場側に位置する足場側長辺、及び該長辺と直交する対向した一対の短辺をもつ細長い矩形形状を有し、前記各板の一方の短辺同士が、蝶番により折り畳み可能に連結されており、前記各板の上面を被覆するように配置されたシートを更に備え、前記シートが、前記板の上面、前記各板の蝶番で連結されている短辺と反対側の短辺から横方向外方に延びる第１部分、及び前記足場側長辺から手前側に延びる第２部分を有するＴ形の形状に形成されており、前記シートで被覆された板の上面の前記建築物側長辺の側に把手が取り付けられていることを特徴とするものである。
【０００７】
本願請求項２に記載の外壁補修工事用安全装置は、前記請求項１の装置において、前記各板に、足場側長辺から手前側に延びる複数の部分をそれぞれ設けることにより、前記各部分間に空所が形成されていることを特徴とするものである。
【０００８】
本願請求項３に記載の外壁補修工事用安全装置は、前記請求項１又は２の装置において、前記シートの前記足場側長辺から手前側に延びる部分に、外壁材の破片を入れるための折り畳み式の破片投入袋が配置されていることを特徴とするものである。
【０００９】
本願請求項４に記載の外壁補修方法は、外壁補修工事を行う建築物の外壁の前面に、建築物の外壁面から足場までの距離がＷよりも小さくなるように足場を配置する段階と、前記請求項１から請求項３までのいずれか１項に記載された外壁補修工事用安全装置を準備する段階と、外壁材を剥がそうとする高さにおける足場の床部分において、前記板の建築物側長辺が建築物の外壁に接し、足場側長辺が足場床面に接するようにして、前記把手に手をかけて安全装置を建築物の外壁と足場床面との間の空間に配置する段階と、前記シートの第１部分および第２部分を立てて足場柱材に固定することにより、底面が傾斜し三方が前記第１部分及び第２部分で囲まれた空間を形成する段階とを含むことを特徴とするものである。
【発明の効果】
【００１０】
本発明によれば、各板をひらき把手をもって一方の長辺が建築物の外壁に接し、他方の長辺が足場床面に接するようにすればよいので、設置が極めて容易であり、足場の周囲に安全ネットを張りめぐらす従来の方法と比較すると、手間と時間が大幅に削減されるとともに、作業コストを減少させることができる。また、破片投入袋を保有しているので、剥がした撤去材を誤って落下させることなく、安全な作業環境を提供することができる。さらに、本発明の安全装置は、折り畳み可能に形成されているので、持ち運びが容易であり、大きな保管スペースも必要としない。
【発明を実施するための最良の形態】
【００１１】
次に、図面を参照して、本発明の好ましい実施の形態に係る外壁補修工事用安全装置（以下「安全装置」という）について詳細に説明する。図１は、安全装置の斜視図、図２は、安全装置の主要な構成要素を分解して示した斜視図である。図１において全体として参照符号１０で示される本発明の好ましい実施の形態に係る安全装置は、一対の板１２、１４によって形成された本体を備えている。
【００１２】
板１２は、対向した一対の長辺１２ａ、１２ｂ（長辺１２ａは、建築物側に位置するため「建築物側長辺」、長辺１２ｂは、足場側に位置するため「足場側長辺」という）及び該長辺１２ａ、１２ｂと直交する対向した一対の短辺１２ｃ、１２ｄをもつ細長い矩形形状を有している（長辺間の距離をＷとする）。板１４も、板１２と同様に、対向した一対の長辺１４ａ、１４ｂ（長辺１４ａは、建築物側に位置するため「建築物側長辺」、長辺１４ｂは、足場側に位置するため「足場側長辺」という）及び該長辺１４ａ、１４ｂと直交する対向した一対の短辺１４ｃ、１４ｄをもつ細長い矩形形状を有している（長辺間の距離をＷとする）。
【００１３】
板１２と板１４は、短辺１２ｄと短辺１４ｄとを蝶番１６で連結することによって、折り畳み可能に連結されている。
【００１４】
安全装置１０はまた、一対の板１２、１４の上面（図１および図２に示される面）を被覆するように配置されたシート２０を備えており、シート２０は、止め具２２によって板１２、１４に固定されている。シート２０は、図２に最もよく示されるように、板１２、１４の上面を完全に被覆する他、短辺１２ｃ、１４ｃから横方向外方に延びる第１部分２０ａを有するとともに、足場側長辺１２ｂ、１４ｂから（図２で見て）手前側に延びる第２部分２０ｂを有しており、全体としてＴ形の形状に形成されている。なお、シート２０は、適当な織布又は不織布材料で形成されている。
【００１５】
シート２０で被覆された板１２、１４の上面には、建築物側長辺１２ａ、１４ａの側に把手２４が取り付けられている。
【００１６】
板１２には、足場側長辺１２ｂから（図２で見て）手前側に延びる部分１２ｅ1 、１２ｅ2 、１２ｅ3 、１２ｅ4 が設けられている。この結果、部分１２ｅ1 と部分１２ｅ2 との間、部分１２ｅ2 と部分１２ｅ3 との間、部分１２ｅ3 と部分１２ｅ4 との間にはそれぞれ、空所が形成されることとなる。板１４にも、板１２と同様に、足場側長辺１４ｂから（図２で見て）手前側に延びる部分１４ｅ1 、１４ｅ2 、１４ｅ3 、１４ｅ4 が設けられている。この結果、部分１４ｅ1 と部分１４ｅ2 との間、部分１４ｅ2 と部分１４ｅ3との間、部分１４ｅ3 と部分１４ｅ4 との間にはそれぞれ、空所が形成されることとなる。なお、板１２、１４と部分１２ｅ1 〜１２ｅ4 、部分１４ｅ1 〜１４ｅ4 は一体のものとして形成するのがよい。
【００１７】
板１２、１４には、足場側長辺１２ｂ、１４ｂの側に、付属板１８ａ、１８ｂ、１８ｃが蝶番１８ａ１、１８ｂ１、１８ｃ１によって回動可能に取り付けられている。これにより、必要に応じて、付属板１８ａ、１８ｂ、１８ｃを立てたり（図１参照）、倒したりする（図４（ｂ）参照）ことができる。
【００１８】
シート２０の手前側に延びる第２部分２０ｂの下面には、補修工事に際して剥がした外壁材の破片を入れるための破片投入袋２０ｃが配置されている（図５（ａ）参照）。破片投入袋２０ｃは、シート２０と同様の織布又は不織布材料を用いて、折り畳み可能に形成されている（図５（ｃ）参照）。
【００１９】
シート２０の端部には、シート取付具２０ｄが取り付けられている。シート取付具２０ｄは、図６（ｃ）に示されるように、シート２０と同じ材料で形成され、先端に面ファスナが配置された長片部材である。図６（ｂ）は、シート２０が足場柱材や付属板１８ａに取り付けられている状態を示した図である。
【００２０】
板１２、１４には、安全装置１０を持ち運ぶ際に使用する持ち運び用チェーン２６がそれぞれ装着されている。また、板１２には、折り畳み保持用チェーン２８（図３（ａ）参照）が装着されており、板１２、１４を折り畳んだ状態で折り畳み保持用チェーン２８の先端を板１４に設けられた折り畳み保持用チェーン留め具２８ａ（図３（ｂ）参照）に引っ掛けることにより、折り畳み状態を保持することができるようになっている。
【００２１】
次に、主として図５〜図７を参照して、以上のように構成された外壁補修工事用安全装置１０の使用について説明する。図５（ａ）は、安全装置１０において付属板１８ａ〜１８ｃおよびシート２０の第１及び第２部分２０ａ〜２０ｃを立てて使用できるようにした状態を示した斜視図、図５（ｂ）は、図５（ａ）の状態を反対側（すなわち、建築物側）から見た斜視図である。また、図６（ａ）は、安全装置１０を作業個所に設置した状態を示した斜視図、図７（ａ）は、図６（ａ）の状態の平面図、図７（ｂ）は、図６（ａ）の状態の側面図である。
【００２２】
まず最初に、外壁補修工事を行う建築物の外壁の前面に足場を配置する。その際、建築物の外壁面から足場までの距離Ｗ0 （図７（ｂ）参照）が板１２、１４の長辺間の距離Ｗよりも小さくなる（すなわち、Ｗ0 ＜Ｗ）ように、足場を設置する。そして、外壁材（例えば、タイル）を剥がそうとする高さにおける足場の床部分において、建築物側長辺１２ａが建築物の外壁に接し、足場側長辺１２ｂが足場床面に接するようにして、把手２４に手をかけて安全装置１０を建築物の外壁と足場床面との間の空間に配置する。すると、上述のように、Ｗ0 ＜Ｗであるので、安全装置１０は斜めに傾斜した状態になるため、落下することがない。なお、その際、板１２、１４の足場側長辺１２ｂ、１４ｂに設けられた部分１２ｅ1 〜１２ｅ4 、１４ｅ1 〜１４ｅ4 間に形成された空所に足場柱材が位置するように安全装置１０を配置すると、安全装置１０の横方向の移動が拘束されて安全性が高まる。次いで、付属板１８ａ〜１８ｃおよびシート２０の第１、第２部分２０ａ〜２０ｃを立ててシート取付具２０ｄで足場柱材などに固定する（図６（ａ）参照）。これにより、底面が傾斜し三方が付属板１８ａ〜１８ｃおよびシート２０の第１、第２部分２０ａ〜２０ｃで囲まれた空間が形成されることとなる。このような状態で外壁補修工事を行うと、剥がした外壁材が建築物と外壁との間の隙間から落下するのを防止することができる。そして、外壁材を剥がすと、シート２０の下面に設けられた破片投入袋２０ｃに入れることができるので、安全を確保しつつ迅速に補修工事を行うことができる。
【００２３】
外壁補修工事が終了すると、シート取付具２０ｄを外し、破片投入袋２０ｃを折り畳む。そして、付属板１８ａ〜１８ｃを倒した後、把手２４を持って板１２、１４を取外して折り畳み、折り畳み保持用チェーン２８の先端を折り畳み保持用チェーン留め具２８ａに引っ掛け、持ち運び用チェーン２６を肩にかけ下面用把手２４ａを持って次の工事箇所に安全装置１０を運ぶ。
【００２４】
図８（ａ）は、横方向に連続して延長している足場床板に安全装置１０を設置した状態を示した図、図８（ｂ）は、足場床板がＬ形になっている箇所に安全装置１０を設置した状態を示した図である。板１２、１４の突出部１２ｅ1 〜１２ｅ4 、１４ｅ1 〜１４ｅ4間の凹所を利用することにより、足場の形態に応じて安全装置１０を配置することができる。
【００２５】
本発明は、以上の発明の実施の形態に限定されることなく、特許請求の範囲に記載された発明の範囲内で、種々の変更が可能であり、それらも本発明の範囲内に包含されるものであることはいうまでもない。
【００２６】
例えば、図示されている板１２、１４の寸法、付属板１８ａ〜１８ｃや突出部１２ｅ1〜１２ｅ4 、１４ｅ1 〜１４ｅ4 の基数および寸法、シート２０の形状などは例示的なものであり、これらに限定されるものではない。
【図面の簡単な説明】
【００２７】
【図１】本発明の好ましい実施の形態に係る安全装置の斜視図である。
【図２】図１の安全装置の分解斜視図である。
【図３】図３（ａ）は、図１の安全装置の平面図、図３（ｂ）は、図１の安全装置の底面図である（図面の明瞭化のため、シートは図示されていない）。
【図４】図４（ａ）は、図１の安全装置を折り畳んだ状態を示した斜視図、図４（ｂ）は、付属板が倒された状態を示した安全装置の斜視図である。
【図５】図５（ａ）は、図１の安全装置においてシートを立ち上げた状態を示した斜視図、図５（ｂ）は、図１の安全装置においてシートを立ち上げた状態を示した別の斜視図、図５（ｃ）は、破片投入袋を示した模式図である。
【図６】図6 （ａ）は、図１の安全装置の使用状態を示した斜視図、図６（ｂ）は、図6 （ａ）の部分６ｂの拡大図、図６（ｃ）は、シート取付具を示した拡大図である。
【図７】図７（ａ）は、図１の安全装置の使用状態を示した平面図、図７（ｂ）は、図１の安全装置の使用状態を示した側面図である。
【図８】足場の形態に応じて配置された安全装置を示した図である（図面の明瞭化のため、シートは図示されていない）。
【符号の説明】
【００２８】
１０  外壁補修工事用安全装置
１２  板
１２ａ  建築物側長辺
１２ｂ  足場側長辺
１２ｃ、１２ｄ  短辺
１２ｅ1 〜１２ｅ4 突出部
１４  板
１４ａ  建築物側長辺
１４ｂ  足場側長辺
１４ｃ、１４ｄ  短辺
１４ｅ1 〜１４ｅ4 突出部
１６  蝶番
１８ａ、１８ｂ、１８ｃ  付属板
１８ａ1 、１８ｂ1 、１８ｃ1   蝶番
２０  シート
２０ａ  横方向外方に延びる第１部分
２０ｂ  手前側に延びる第２部分
２０ｃ  破片投入袋
２０ｄ  シート取付具
２２  止め具
２４  把手
２４ａ  下面用把手
２６  持ち運び用チェーン
２８  折り畳み保持用チェーン
２８ａ  折り畳み保持用チェーン留め具
【図１】
0005791941.tif 000002
【図２】
0005791941.tif 000003
【図３】
0005791941.tif 000004
【図４】
0005791941.tif 000005
【図５】
0005791941.tif 000006
【図６】
0005791941.tif 000007
【図７】
0005791941.tif 000008
【図８】
0005791941.tif 000009